(57)【要約】免疫ＲＩガイド外科システム計測の分野で、使い捨て電力源及び放射線の検出カウントを視覚的に認識できるインジケータを備える携帯型プローブを記載しかつ特許請求する。前記携帯型プローブ及び計測コンソールを含む、システムも開示する。取っ手は、低レベルの電気信号に関するガンマデータを含有するメッセージを送信するプローブリンクを含む。前記計測コンソールは、ハウジング；前記プローブリンクにより送信される前記メッセージを受信するためのコンソールリンク；前記メッセージを対応する電気表示信号に変換するために、前記コンソールリンクに電気的に連結する受信機；及び検出した前記放射線の量に関し、前記電気表示信号を視覚的に認識できる表示に変換するために、前記受信機に電気的に連結する視覚的に認識できる表示；を含んでもよい。【選択図】図２
2019501371.tif 000002
【特許請求の範囲】
【請求項１】
第１の嵌合要素を有し、及び検出器に近接する放射線源と関連して低レベルの電気信号を生成するように構成される前記検出器；
取っ手が着脱可能に検出器に連結可能なように、前記第１の嵌合要素と着脱可能に嵌合するように構成される第２の嵌合要素を含む前記取っ手；を含有する、携帯型プローブ。
【請求項２】
前記携帯型プローブが電源を更に含み、
前記電源が、前記第２の嵌合要素を前記第１の嵌合要素と嵌合するとき、前記検出器に電力を供給する、請求項１に記載の携帯型プローブ。
【請求項３】
内部に前記検出器を受容するように構成される、シースを更に備える、請求項１に記載の携帯型プローブ。
【請求項４】
前記取っ手に電気的に接続する発光体を更に含む、前記シースが前記発光体を受容するための通路を備える、請求項３に記載の携帯型プローブ。
【請求項５】
前記検出器が積層した結晶配列を含み、前記積層した結晶配列が、
複数の結晶片；
導電性で、離間され、及び概ねそれらの間に直交して延在する導電性スペーサーで接合した一般に並列の要素を有する、複数の相互連結部であって、前記スペーサーが所定の角度によって互いに回転方向にオフセットされている、前記相互連結部；
複数の電気絶縁体；
複数のスロットを有する電気絶縁性ハウジング；を含み、前記結晶片、前記絶縁体及び前記相互連結部がアセンブリを形成するように配置されており、前記結晶片が並列の電気回路で連結されており、前記アセンブリが前記ハウジングの対応する前記スロットに位置する前記スペーサーのそれぞれを備える前記ハウジング内に嵌入されている、請求項１に記載の携帯型プローブ。
【請求項６】
システムであって、
第１の嵌合要素を有し、及び検出器に近接する放射線源と関連して低レベルの電気信号を発生させるように構成される前記検出器；ならびに
取っ手が着脱可能に前記検出器に連結可能なように、前記第１の嵌合要素と着脱可能に嵌合するように構成される第２の嵌合要素と、
低レベルの電気信号に関するガンマデータを含有するメッセージを送信するように構成されるプローブリンクと、を含む、前記取っ手；を含有する、携帯型プローブと、ならびに
ハウジング；
前記ハウジング内であって、前記プローブリンクにより送信される前記メッセージを受信するように構成されるコンソールリンク；
前記メッセージを対応する電気表示信号に変換するために、前記コンソールリンクに電気的に連結する受信機；及び検出した前記放射線の量に関し、前記電気表示信号を視覚的に認識できる表示に変換するために、前記受信機に電気的に連結する視覚的に認識できるディスプレイ；を含有する、計測コンソールと、を含む前記システム。
【請求項７】
前記検出器が積層した結晶配列を含み、前記結晶配列が、
複数の結晶片；
導電性で、離間され、及び概ねそれらの間に直交して延在する導電性スペーサーで接合した一般に並列の要素を有する、複数の相互連結部であって、前記スペーサーが所定の角度によって互いに回転方向にオフセットされている、前記相互連結部；
複数の電気絶縁体；
複数のスロットを有する電気絶縁性ハウジング；を含み、前記結晶片、前記絶縁体及び前記相互連結部がアセンブリを形成するように配置されており、前記結晶片が並列の電気回路で連結されており、前記アセンブリが前記ハウジングの対応する前記スロットに位置する前記スペーサーのそれぞれを備える前記ハウジング内に嵌入されている、請求項６に記載のシステム。
【請求項８】
前記複数の結晶片がカドミウム亜鉛テルルから作成されている、請求項７に記載のシステム。
【請求項９】
前記検出器が発光装置である、請求項６に記載のシステム。
【発明の詳細な説明】
【技術分野】
【０００１】
関連出願
特許のための本出願は、２０１５年１０月２７日出願の名称「ＳＵＲＧＩＣＡＬ  ＰＲＯＢＥ  ＡＰＰＡＲＡＴＵＳ  ＡＮＤ  ＳＹＳＴＥＭ  ＡＮＤ  ＭＥＴＨＯＤ  ＯＦ  ＵＳＥ  ＴＨＥＲＥＯＦ」という米国特許仮出願第６２／２４７，０８２号に対する優先権を主張し、それは本明細書の譲受人に譲渡されており、その全体を参照により本明細書に組み込む。
【０００２】
本発明は概ね免疫ＲＩガイド外科システム器具に関し、特にこのようなシステムで使用するプローブに関する。
【背景技術】
【０００３】
癌治療の手順は一般的に、腫瘍の広がりの自然経過に基づき、そこから医師が利用できる手術及び非手術の選択肢に基づく。手術の選択肢では一般的に、腫瘍（複数可）の物理的識別及び外科的切除を目指している。様々な技術は、この外科的処置の一部として腫瘍性組織を検出して位置特定する際、外科医を援助する目的で、当該技術分野で進展してきた（本用途で「腫瘍性組織」とは多くの場合、癌組織を指すが、悪性腫瘍及び悪性腫瘍細胞も当該技術の用語で見いだせる。「腫瘍性組織」という用語は、このすべてを含有する）。概して大きな腫瘍（複数可）は、手術室で可視化することによって、特に触診により、すなわち正常組織と対比した腫瘍の感触により、外科医によって容易に位置特定される。しかし手術の成功を収めるために、「潜伏」腫瘍（複数可）、すなわち視覚及び感触の従来の外科的処置によって位置特定することができない腫瘍（複数可）を何とか位置特定することが、外科医には必要である。このような潜状腫瘍（複数可）の位置を特定して除去できないことは一般的に、患者の癌の持続的増殖、しばしば「再発性」癌と呼ばれる状態をもたらす。
【０００４】
腫瘍の位置を特定し、分化して、除去するための大いに改良された方法は、患者内に注入される放射性標識抗体を使用する。注入されると、このような抗体は、正常組織より高い濃度で腫瘍性組織に蓄積することがわかっている。携帯型放射線検出プローブは、放射能部位を検出するために、手術中に外科医が使用する。標識抗体に検出プローブを近づけるので、潜伏部位から生じるかすかな放射線が検出可能になり、例えばその理由の一部は放射線伝播の近似逆二乗則の固有適用である。前記処置は免疫ＲＩガイド手術として周知である。
【０００５】
初発腫瘍から近くのリンパ節に、そしてリンパ系を介して最終的に他の重要な部位への腫瘍細胞の遊走（または流出）によって、特定の種類の固形腫瘍癌の広がりが生じるとも一般的に考えられている。患者の原発腫瘍がリンパ節に転移しているかの判断が患者の長期予後の主要な決定因子であると、癌外科医及び腫瘍内科医は考えている。患者のリンパ節への癌の転移は、腫瘍細胞が存在するか判断するために、病理学によるリンパ節検査によって確定される。腫瘍細胞がリンパ節に存在すると決定される場合、患者の病期または重篤度は増大する。外科医は処置を実行して、原発腫瘍の部位で、放射性追跡剤の注入により流入リンパ節（複数可）を特定する。注入の後、追跡剤は、最も近いリンパ節（複数可）（以下「センチネル節」（複数可）という）への腫瘍の流入経路をたどる。ガンマ線検知器は、追跡剤の経路を検出するために用いる。リンパ節は結合しているので、センチネル節が悪性腫瘍の徴候を示さない場合、その経路の下流リンパ節に疾患はない可能性があると、腫瘍専門医は考える。したがって他の近くのリンパ節の除去は、臨床的に不必要である。したがってセンチネル節を速やかに位置特定して生検を行う能力は、癌が転移したか、またはそれが原発腫瘍の部位に限られるかを判断する際、医師に不可欠な情報を提供する。
【０００６】
最近の技術によって、同位体標識剤及び携帯型放射線検知器の組み合わせを介して、外科医は現在、腫瘍転移の改良された外科的評価、例えば原発腫瘍関連のリンパ節の除去を提供できる。このような外科的放射線検出器は、一般的に可撓ケーブルを介してまたは更に最近は無線通信を介して制御コンソールと電気的に接続する、携帯型プローブからなる。この制御コンソールは手術室内だが滅菌した場所以外に位置し、携帯型プローブ及び付随するケーブルの前方部分はその領域内に位置する。携帯型放射線検出プローブは比較的小さく、半導体検出器（例えばカドミウム亜鉛テルル）または発光物質（例えばヨウ化セシウム）と関連して作動する。例示の測定器は、米国特許第４，７８２，８４０号及び米国特許出願公開第２００９／０３２６３７１号で見いだされ得て、そのそれぞれの開示はその全体が参照により本明細書に明示的に組み込まれる。
【０００７】
手術中にこの放射線検出を実行する市販のシステム及び機器は、Ｄｅｖｉｃｏｒ  Ｍｅｄｉｃａｌ  Ｐｒｏｄｕｃｔｓ，Ｉｎｃ．（Ｃｉｎｃｉｎｎａｔｉ、Ｏｈｉｏ）から入手可能な「Ｎｅｏｐｒｏｂｅ  Ｇａｍｍａ  Ｄｅｔｅｃｔｉｏｎ  Ｓｙｓｔｅｍ」である。ｈｔｔｐ：／／ｗｗｗ．ｍａｍｍｏｔｏｍｅ．ｃｏｍ／ｎｅｏｐｒｏｂｅ／を参照。
【０００８】
半導体（例えば、カドミウム−亜鉛−テルル）または発光（例えば、ヨウ化セシウム）物質からなる検出器を使用することによって生じる、放射線の供給源のどんなエネルギーレベルでも、放射線源は直接検出されてきた。入射光子が検出器内で物質と衝突するとき、出力信号が作成される。放射線の主要源のエネルギー量が高ければ、いかなる物質とも衝突せずに、したがって検出器から出力を生じさせずに、より多くの入射光子は検出器を完全に通過することができる。したがって、十分な数の衝突を生じさせて、使用可能な検出器感度を提供することを保証するために、高エネルギー検出器は、比較的「厚く」（すなわち、大きい断面容積）かつ高密度材料から必然的に作製されてきた。検出器のこの特性は、「阻止能」または「吸収効率」としばしば称される。
【０００９】
より効率的に高エネルギーの放射線を検出するために、検出器結晶の厚みを増加させることによって検出器吸収を増大させることが通常必要である。あるいは、比較的低い電圧でバイアスされ得る比較的厚いモノリシック結晶の吸収効率を有する積層した結晶配列を使用してもよい。積層した結晶配列は、２０１２年９月１８日発行の米国発行済み特許第８，２６９、１８５号、「ＳＴＡＣＫＥＤ  ＣＲＹＳＴＡＬ  ＡＲＲＡＹ  ＦＯＲ  ＤＥＴＥＣＴＩＯＮ  ＯＦ  ＰＨＯＴＯＮ  ＥＭＩＳＳＩＯＮＳ」に記載されており、その全体が参照により本明細書に明示的に組み込まれる。
【００１０】
２０００年１１月７日発行の米国特許第６１４４８７６号、「ＳＣＡＮＮＩＮＧ  Ａ  ＲＡＤＩＡＴＩＯＮ  ＳＯＵＲＣＥ  ＷＩＴＨ  Ａ  ＣＯＵＮＴ  ＲＡＴＥ  ＯＵＴＰＵＴ  ＤＥＲＩＶＥＤ  ＷＩＴＨ  Ａ  ＤＹＮＡＭＩＣ  ＷＩＮＤＯＷ  ＡＮＡＬＹＳＩＳ」。プローブに基づく放射線検出システムの計数率出力が、動的ウインドウに基づく計数分析の利用によって安定するというシステムを、この特許は記載し、請求する。循環記憶が、一連のセグメントカウント値を記録するために利用される。それからこれらの値は、短いスキャン間隔に対してアクセスされ、更新される。それから記憶セグメントは、計数収集間隔にわたる計数合計を展開するために使用される。その計数合計は、動的ウインドウの上下の端を調整するアルゴリズムと共に使用される。ウインドウ上端またはウインドウ下端から計算して、報告された平均値は、可変ピッチ出力を作成するために、または棒グラフを設定するために利用される。バックグラウンド計数及び標的計数間隔は、時間の上限と下限を組み合わせたデータポイント予測技術を利用して調整される。
２００１年２月２０日発行の米国特許第６１９１４２２号、「ＲＡＤＩＡＴＩＯＮ  ＰＲＯＢＥ  ＷＩＴＨ  ＣＯＭＰＯＵＮＤ  ＳＥＭＩＣＯＮＤＵＣＴＯＲ  ＣＲＹＳＴＡＬ  ＰＥＲＦＯＲＭＩＮＧ  ＩＮ  Ａ  ＴＲＡＰＰＩＮＧ−ＤＥＰＥＮＤＥＮＴ  ＯＰＥＲＡＴＩＯＮＡＬ  ＭＯＤＥ」。結晶前方面に作用する放射線によって生成された実質的にすべてのキャリアの捕獲が取り込まれる、捕獲依存作動モードで半導体の結晶を作動させる値を有する、結晶厚ならびにバイアス発生電場を有する（有して構成される）携帯型放射線プローブを、この特許は記載し、請求する。適切な光電ピーク高を得て、より小さなエネルギーのコンプトン散乱及び他のノイズ現象の外のウインドウイングを可能にするために、バイアスレベル電圧は選択される。
【００１１】
２００１年４月１７日発行の米国特許第６２１８６６９号、「ＳＵＲＧＩＣＡＬ  ＰＲＯＢＥ  ＡＰＰＡＲＡＴＵＳ」。取っ手要素、及びカドミウム−テルル化物結晶が動きに対して強固に取り付けられている、前方結晶取付台を備えるプローブ構造を組み込む、外科プローブ装置を、この特許は記載し、請求する。アルミニウムウインドウを支持するのと同様にエアギャップを定めるために結晶の正面から前方へ延在する、内部の円筒状タングステンシールドを有する、カップ状ウインドウアセンブリが提供される。ウインドウアセンブリは、外向きに延在する傾斜面を形成する移行領域で、取っ手にネジ止めにより取り付けられる。取り付けられるとき、ウインドウに対してバイアス位置に円筒状タングステンコリメータを保つ、ドグ構造を含有する脚を備えたポリマー保持要素と関連して、この傾斜面は使用される。
【００１２】
２００１年７月１０日発行の米国特許第６２５９０９５号、「ＳＹＳＴＥＭ  ＡＮＤ  ＡＰＰＡＲＡＴＵＳ  ＦＯＲ  ＤＥＴＥＣＴＩＮＧ  ＡＮＤ  ＬＯＣＡＴＩＮＧ  ＳＯＵＲＣＥＳ  ＯＦ  ＲＡＤＩＡＴＩＯＮ」。所定の放射性核種から発生する放射線源の位置を特定するシステム及び装置を、この特許は記載し、請求する。この装置は、計数機能（例えば標的数及びバックグラウンド）を識別するために、アイコンイメージを利用した大きなウインドウディスプレイを組み込む。様々な放射性核種の作動モードはオペレータによって選択されることができ、システムは自動的にデフォルトで、選ばれた放射性核種と関連する検出器バイアス選択及びウインドウ基準電圧選択になる。棒グラフ読み出しは、標的またはバックグラウンド処理のままになっている時間または計数レベルをユーザーに通知し、アイコン識別子の点滅がこのような処理の間、生じる。パルス検証は、パルス幅を評価する弁別器の利用により改善される。
【００１３】
２００１年８月７日発行の米国特許第６２７２３７３号、「ＳＣＡＮＮＩＮＧ  ＳＹＳＴＥＭ  ＡＮＤ  ＭＥＴＨＯＤ  ＦＯＲ  ＬＯＣＡＴＩＮＧ  ＳＯＵＲＣＥＳ  ＯＦ  ＲＡＤＩＡＴＩＯＮ  ＥＭＩＳＳＩＯＮ」。循環記憶と関連して５０ｍｓのスキャン間隔を利用する携帯型プローブのスキャンシステムを、この特許は記載し、請求する。循環記憶からのセグメントビンの組み合わせは、各短いスキャン間隔の後、得られる。閾値は、統計学的に有意でかつ３つの値を有する閾値因子に基づく組み合わせごとに最初に計算される。セグメントビンのスキャン計数のこの組み合わせの６つのうちの任意の３つが対応して計算された閾値を超える場合、可聴合図が起きる。その後、閾値因子は１つの値まで減少し、同じ閾値化試験は可聴合図を維持するために実施される。現在の計数率は、対応する全体の収集時間によって分割される全体の循環緩衝記憶の平均として計算される。この計算は、１／２秒の更新基準で提供される。
【００１４】
上述のすべての発行済み米国特許は、その全体が参照により本明細書に明示的に組み込まれる。
【００１５】
プローブ装置全体（検出器及び取っ手を含む）を各使用の間で滅菌しなければならないので、上述のシステムは負担になる可能性がある。更にプローブ装置全体は、機能不全がいずれかの部分で生じる場合、交換されなければならない、または修理に送られなければならない。したがってこれらの課題を回避するプローブが、当該技術分野において求められている。
【発明の概要】
【課題を解決するための手段】
【００１６】
特許請求される本発明の第１の態様は、
第１の嵌合要素を有し、及び検出器に近接する放射線源と関連して低レベルの電気信号を発生させるように構成される検出器；ならびに
取っ手が着脱可能に検出器に連結可能なように、第１の嵌合要素と着脱可能に嵌合するように構成される第２の嵌合要素を含む取っ手；を含有する、携帯型プローブである。
【００１７】
特許請求される本発明の第２の態様は、
第１の嵌合要素を有し、及び検出器に近接する放射線源と関連して低レベルの電気信号を発生させるように構成される検出器；ならびに取っ手が着脱可能に検出器に連結可能なように、第１の嵌合要素と着脱可能に嵌合するように構成される第２の嵌合要素を含む取っ手；を含有する、携帯型プローブと、
低レベルの電気信号に関するガンマデータを含有するメッセージを送信するように構成されるプローブリンクと、ならびにハウジング；ハウジング内であって、プローブリンクにより送信されるメッセージを受信するように構成されるコンソールリンク；メッセージを対応する電気表示信号に変換するために、コンソールリンクに電気的に連結する受信機；及び検出した放射線量に関し、電気表示信号を視覚的に認識できる表示に変換するための、受信機に電気的に連結する視覚的に認識できるディスプレイ；を含有する、計測コンソールと、を含む、システムである。
【００１８】
特許請求される本発明の第３の態様は、
第１の嵌合要素を有し、及び検出器に近接する放射線源と関連して低レベルの電気信号を発生させるように構成される検出器を提供すること；取っ手が着脱可能に検出器に連結可能なように、第１の嵌合要素と着脱可能に嵌合するように構成される第２の嵌合要素を含む取っ手を提供すること；ならび第１の嵌合要素と第２の嵌合要素を嵌合することによって検出器と取っ手を連結すること；を含む、免疫ＲＩガイド手術を実施する方法である。
【００１９】
本発明の種々の態様の追加の利点及び新規の特徴は、以下の説明に記載され、部分的には、以下の試験でまたはその実施による学習で、当業者にはより明らかになる。
【図面の簡単な説明】
【００２０】
【図１】本発明の態様に従う、例示のプローブの側面図である。
【図２】図１のプローブの分解側面図である。
【図３】図１のプローブの分解斜視図である。
【図４】枢支した配置での図１のプローブの側面図である。
【図５】本発明の他の態様に従う、別の例示のプローブの側面図である。
【図６】本発明の他の態様に従う、別の例示のプローブの側面図である。
【図７】本発明の他の態様に従う、別の例示のプローブの分解図である。
【図８】本発明の他の態様に従う、グラフィカル・ユーザー・インターフェースを有する、例示の計測コンソールを示す。
【図９】本発明の態様に従って使用するための、種々のハードウエア要素及び他の機構の例示の系統図を示す。
【図１０】本発明の態様に従う、種々の例示のシステム要素のブロック図である。
【発明を実施するための形態】
【００２１】
本発明の特定の例に対する以下の説明は、本発明の範囲を制限するために用いられるべきではない。本発明の他の例、特徴、態様、実施形態、利点、及び本発明を実施するために想到された最善のモードの１つは、以下の説明から当業者に明らかである。それは単に実例であって、本発明の範囲を限定するとはまったく意図されていない。理解されるように、本発明は、すべて本発明の範囲から逸脱することなく、他の異なる明白な態様を示すことが可能である。したがって、図面及び説明は実質的に例示的なものであり、制限的であるとみなされるべきではない。
【００２２】
本発明の一態様において、携帯型プローブは、第１の嵌合要素を有し、及び検出器に近接する放射線源と関連して低レベルの電気信号を発生させるように構成される検出器；ならびに取っ手が着脱可能に検出器に連結可能なように、第１の嵌合要素と着脱可能に嵌合するように構成される第２の嵌合要素を含む取っ手；を含有する。
【００２３】
他の態様は、携帯型プローブ及び計測コンソールを備える、システムを含んでもよい。携帯型プローブは、第１の嵌合要素を有し及び検出器に近接する放射線源と関連して低レベルの電気信号を発生させるように構成される検出器と、取っ手とを含んでもよい。取っ手は、着脱可能に検出器に連結可能でもよいように、第１の嵌合要素と着脱可能に嵌合するように構成される第２の嵌合要素；及び低レベルの電気信号に関するガンマデータを含有するメッセージを送信するように構成されるプローブリンク；を備えてもよい。計測コンソールは、ハウジング；プローブリンクにより送信されるメッセージを受信するように構成される、ハウジング内のコンソールリンク；メッセージを対応する電気表示信号に変換するために、コンソールリンクに電気的に連結する受信機；及び検出した放射線量に関し、電気表示信号を視覚的に認識できる信号に変換するために、受信機に電気的に連結する視覚的に認識できるディスプレイ；を含んでもよい。
【００２４】
他の態様は、第１の嵌合要素を有し、及び検出器に近接する放射線源と関連して低レベルの電気信号を発生させるように構成される検出器を提供すること；取っ手が着脱可能に検出器に連結可能なように、第１の嵌合要素と着脱可能に嵌合するように構成される第２の嵌合要素を含む取っ手を提供すること；ならび第１の嵌合要素と第２の嵌合要素を嵌合することによって検出器と取っ手を連結すること；を含む、方法を含有する。
【００２５】
部品リスト
【表１−１】
2019501371.tif 000003
【表１−２】
2019501371.tif 000004
【表１−３】
2019501371.tif 000005
【００２６】
図１は、本発明の態様に従う、例示のプローブ１００の側面図を示す。図２は、プローブ１００の分解側面図を示す。図３は、プローブ１００の分解斜視図を示す。図１及び図２に示すように、プローブ１００は通常、取っ手１０２、検出器１０４、いくつかの態様でシース１０６を含んでもよい。
【００２７】
検出器１０４は、検出器に近接する放射線源と関連して低レベルの電気信号を発生させるように構成されてもよく、例えば検出器は放射線検出器でもよい。検出器１０４は、光子放射線を検出するのに好適な、カドミウム亜鉛テルル化物または他の任意の半導体材料を含んでもよい。更に広い意味で、検出器１０４は、放射性標識抗体により発されるガンマ線に応答する、任意の好適な種類の結晶を含んでもよい。例えば検出器１０４は、合金（例えば、亜鉛を含む合金）の有無に関係なく、カドミウム−テルル化物結晶を含んでもよい。本発明の説明でこのような合金は概ねかつ区別なく、「カドミウム−テルル化物」または「ＣｄＴｅ」及び「カドミウム亜鉛テルル化物」または「ＣＺＴ」と称してもよい。代表的なＣＺＴ結晶の詳細は、米国特許第５，４４１，０５０号、同第５，４９５，１１１号、同第６，１９１，４２２号及び同第６，２１８，６６９号に見いだされ得て、その全内容は本明細書に参照により明示的に組み込まれる。別の例示のＣＺＴ結晶は、２０１２年９月１８日発行の米国特許第８，２６９，１８５号、「ＳＴＡＣＫＥＤ  ＣＲＹＳＴＡＬ  ＡＲＲＡＹ  ＦＯＲ  ＤＥＴＥＣＴＩＯＮ  ＯＦ  ＰＨＯＴＯＮ  ＥＭＩＳＳＩＯＮＳ」で見いだすことができる。特に複数の結晶片、一対の結晶相互接続、一対の絶縁体及びハウジングの考察に言及する、米国特許第８，２６９，１８５号の全内容は、本明細書に明示的に組み込まれる。あるいは検出器１０４は発光装置でもよい。発光装置は、これに限定されないがヨウ化セシウムを含む、放射線をイオン化することによって生成される閃光を検出して計数するための、現時点で既知のもしくは後で開発される、任意の種類の粒子または放射線検出器でもよい。例えば発光装置として構成された検出器１０４は、感光装置（例えば光電子増倍管またはシリコンＰＩＮダイオード）により検出される光フラッシュの発光によって作動してもよい。
【００２８】
検出器１０４は一般に、自由端部１１２及び取っ手１０２に連結するための対向端部１１０を有する細長い本体１２０を含んでもよい。米国特許第８，２６９，１８５号に記載の結晶片及び他の構成要素は、検出器１０４の自由端部１１２で、本体１２０内に位置する。検出器１０４は第１の嵌合要素１０８を含んでもよく、それは図２及び図３で最もよくわかる。第１の嵌合要素１０８は、後述する取っ手１０２の第２の嵌合要素１２８と嵌合するように構成されてもよい。第１の嵌合要素１０８は、自由端部１１２の反対側にある検出器の端部１１０に位置してもよい。第１の嵌合要素１０８は、取っ手１０２の嵌合要素１２８と嵌合する構造を有するように構成されてもよく、及び構造支持体及び電気接続の両方を提供してもよい。例えば第１の嵌合要素１０８は、突起部１１８で終わるスロット１１６を有する出っ張り部１１４を含んでもよい。図２及び図３を比較して見ると、スロット１１６及び突起部１１８は出っ張り部１１４の各面にあってもよい。出っ張り部１１４、スロット１１６及び突起部１１８は共に、取っ手の対応する機構と嵌合して、物理的支持及び電気接続を提供してもよい。第１の嵌合要素１０８は、出っ張り部１１４の端面上の電気接点１１５を更に含んでもよい。
【００２９】
取っ手１０２はヒト、例えば医師の手で握るためにサイズ設定かつ成形されてもよい。したがってプローブ１００は携帯型でもよい。取っ手１０２は一般に、自由端部１２４、及び検出器１０４と連結するための対向端部１２６を有する本体１２２を備えてもよい。取っ手１０２は一般に、電力を検出器１０４へ供給して、計測コンソールと通信するためにシステムの電気及びコンピュータ要素を備えてもよい。例えば取っ手１０２は、単一の本体１２２内の、電源（例えば、使い捨てまたは再充電可能電池（好ましくは使い捨て））、前置増幅器、コントローラ、プローブデータリンク及び光電子を含んでもよい。好ましくはプローブデータリンクは無線データリンクでもよい。これらの要素のそれぞれは米国特許出願公開第２００９／０３２６３７１号に記載されており、それは本明細書に参照により明示的に組み込まれる。
【００３０】
増幅器は、検出器１０４によって生成された低レベルの電気信号を受信して、より大きな規模（すなわち、電圧及び電流）の対応する出力電気信号に増幅する。前置増幅器は、ガンマ放射線に曝露されるとき検出器１０４の電荷移動を引き起こすために、検出器１０４に電気バイアス電圧も供給してよい。例示の前置増幅器の詳細は米国特許第６，２０４，５０５号及び同第６，２２２，１９３号で見いだされ得て、そのそれぞれは本明細書に参照により明示的に組み込まれる。コントローラは、前置増幅器からの出力電気信号を受信してもよく、出力電気信号を分析して、検出器１０４により検出されるガンマエネルギーの量に対応するガンマデータを得てもよい。いくつかの実施形態で、ガンマデータは、検出した光子放射線衝突の数に関して「数」の形であってよい。更なる詳細は米国特許第４，８８９，９９１号で見いだされ得て、本明細書に参照により明示的に組み込まれる。コントローラは、これらに限定されないがリアルタイム放射線標的数及び時間間隔累積計数を含むプローブの所定の実施パラメータならびに較正／試験を、プローブのユーザーが設定することができるように、制御スイッチで構成されてもよい。制御スイッチを所定の期間、作動させることによって、または制御スイッチを所定の期間内の所定の時間数、作動させることによって、パラメータは選択されてもよい。
【００３１】
コントローラは、プローブの動作を制御するための制御信号を提供するために、所定の制御ロジックに従って作動するように構成されるデジタルマイクロプロセッサベース制御装置でもよい。あるいはコントローラは、例えばコンピュータ、マイクロコントローラ、プログラム可能論理装置などを利用する他の種類のデジタルベースアーキテクチャを備えてもよい。コントローラの制御ロジックは、所定の指示のセット（例えばコンピュータプログラムまたは「ファジー論理」）によって定義されてもよい。コントローラは、全体または一部がアナログ電子回路を備えてもよい。
【００３２】
関連する計測コンソールデータリンクと連動するコンソールの動作が、プローブとコンソールの間にデータを移送するように、プローブデータリンクは構成されてもよい。これらに限定されないが、無線周波（ＲＦ）、可視光、赤外光、音波及び超音波リンク、ならびにこれらに限定されないが振幅変調、周波数変調、位相偏移変調及び周波数偏位キーイングを含む任意の従来の種類のアナログまたはデジタル変調を利用して、プローブリンクは、現時点で既知のまたは後で考案される任意の形体で実施されてもよい。Ｂｌｕｅｔｏｏｔｈ  Ｓｐｅｃｉａｌ  Ｉｎｔｅｒｅｓｔ  Ｇｒｏｕｐ，Ｉｎｃ．（ＳＩＧ）によって普及したＢＬＵＥＴＯＯＴＨ（登録商標）規格などの電気通信プロトコルも使用してよい。例示の態様は、ＢＬＵＥＴＯＯＴＨ（登録商標）などのプロトコルを使用してよい。あるいは、特許登録の通信プロトコルを利用してもよい。
【００３３】
取っ手１０２は、検出器１０４の第１の嵌合要素１０８と嵌合するための第２の嵌合要素１２８を含んでもよい。第２の嵌合要素１２８は、第１の嵌合要素１０８との嵌合に対応する嵌合機構を含んでもよく、検出器１０４が取っ手１０２と着脱自在に連結するのを可能にする。例えば第２の嵌合要素１２８は、スロット１３２を有する出っ張り部１３０及びスロット１３２を定める側壁から隆起する一対の突出部１３４を含んでもよい。図３で最もよくわかるように、第１の嵌合要素１０８の出っ張り部１１４は、第２の嵌合要素１２８のスロット１３２内に嵌め込むために、サイズ設定されかつ成形されてもよい。更に第１の嵌合要素１０８の対向するスロット１１６は、第２の嵌合要素１２８の一対の突出部１３４を受容するために、サイズ設定されかつ成形されてもよい。スロット１１６は、嵌合要素が嵌合される際、突出部１３４を導く機能を助けてもよい。第１の嵌合要素１０８の突出部１１８は、第２の嵌合要素１２８の突出部１３４と接触及び／または嵌合するために、更にサイズ設定されてもよい。例えば、突出部１１８、１３４が作動中、接触した状態で留まるように、突出部１１８、１３４のうちの１つまたはその両方は互いに近づく方向にばねで留められてもよい。別の態様においては、機械的機構は、移動止めなどの接触をトリガーによって機械的に解除可能に保つために用いてもよい。第１及び第２の嵌合要素を共に完全に嵌合すると、検出器１０４の電気接点１１５は、取っ手１０２の対応する電気接点と接触し、それによって取っ手の上述のコントローラ／コンピュータ要素に電力及びそれとの通信を提供する。取っ手１０２は、検出器を取っ手１０２から離れる方向に引っ張って、嵌合工程を逆にすることによって、検出器１０４からはずすことができる。
【００３４】
取っ手１０２は、発光体１３６を更に含んでもよい。発光体は、１つに束ねた光ファイバーケーブルでもよく、例えばアクリルプラスチックなどの透明プラスチックから作成されていてもよい。光は、光ファイバーケーブルの全体の長さに沿って伝播してもよく、ならびにその全体の長さに沿って及び／またはその対向端１４６で発されてもよい。別の態様においては、発光体１３６は、取っ手内に後方に延在するワイヤを備える、端部１４６の発光ダイオード（ＬＥＤ）でもよい。更に別の態様で、光は取っ手の光源から生じてもよく、発光体１３６は、管の他端から出入りする光を含みかつそれを導く光管物質でもよい。取っ手１０２は、電力を供給して、光ファイバーケーブル／ＬＥＤによって発される光を制御するために使用する光電子を含んでもよい。例えば取っ手１０２は、光がいつ発光体１３６によって発されるかを制御するためのスイッチ１３８を更に含んでもよい。スイッチ１３８は、再度押すまで、スイッチ１３８の各押圧が光をオンもしくはオフにする、オン／オフのトグルスイッチでもよく、またはスイッチ１３８がオペレータによって押えられない限り光がオフのままである、デッドマンタイプのスイッチでもよい。発光体１３６は、枢着点１４０を介して取っ手１０２に枢動可能に連結されてもよい。図４は枢支した位置の発光体１３６を示し、それは下記でより詳細に考察される。取っ手１０２は、発光リング１３５を更に含んでもよい。発光リング１３５は、放射線を検出するとき、検出器の動作と関連して点灯するように構成されてもよい。発光リング１３５は測定した計数に関して視覚フィードバックをオペレータに提供してもよく、プローブの操作に関して更に詳細に後述する。取っ手１０２は、プローブ１００をオンにするための及び／または無線接続を介して計測コンソールを備えるプローブ１００をペアリングするための電源スイッチ１３７を更に含んでもよい。取っ手は、フランジ１３３を更に含んでもよい。フランジ１３３の機能は以下で述べる。
【００３５】
プローブ１００はシース１０６を更に含んでもよい。シース１０６は一般に、検出器１０４の周囲に適合するように成形かつサイズ設定される、細長い中空体１４２を備えてもよい。シースは、比較的安価な滅菌可能な材料（例えば、シリコーンプラスチック）を含んでもよい。オペレータへ配布する前に、シースは、任意の好適な滅菌技術（例えば、酸化エチレン（「ＥＴＯ」）滅菌）を使用して、事前滅菌されてもよい。オペレータが１回の使用後シースを処分してもよいように、複数の事前滅菌したシースはオペレータに供給されてもよく、操作方法に関して下記で説明される。シースが事前滅菌されるので、オペレータは各使用後に検出器１０４を必ずしも滅菌する必要がなく、単に各検出で使い捨てて、新しいシースを使用できる。シース１０６は、検出器１０４の形状と実質的に相当する及び／または適合する形状を有してもよい。シース１０６の内面はキー溝またはキー（図示せず）を含んでもよく、一方で検出器１０４の外面は、検出器１０４のみが所定の適切な配向でシース１０６内に挿入できるのを確実にするために、対応するキー溝またはキー（図示せず）を有してもよい。
【００３６】
１つの例示の態様において、シース１０６は、本体１４２の長さに沿って延在してもよいスリーブ１４４を有してもよい。スリーブ１４４は、発光体１３６が嵌入されてもよい開口第１端部１４８と、光が出る対向する開口第２端部１５０とを有してもよい。スリーブ１４４内に発光体１３６を受容するように、スリーブ１４４は、発光体１３６の形状に相当する及び／またはそれに適合するサイズ及び形状を有してもよい。例えば、発光体１３６の端部１４６がチャネルの開口第２端部１５０に位置するように、発光体１３６はシース１０６のチャネル１４４の第１端部内に嵌入されてもよい。シース１０６は、取っ手１０２のフランジ１３３に対応するために、サイズ設定されかつ成形されたへり１５２を更に含んでもよい。図１で最もよくわかるように、取っ手１０２からシース１０６へのスムーズな移動を提供するために、へり１５２はフランジ１３３に当接してもよい。
【００３７】
図４は、枢支した配置でのプローブ１００の側面図を示す。図４に示される配向で、検出器１０４はシース１０６内にすでに嵌入されている。更に発光体１３６は、シース１０６のスリーブ１４４内に嵌入されている。しかし検出器／シースの組み合わせが枢支された位置にある際、検出器１０４は取っ手１０２にまだ連結していない。発光体１３６が枢着点１４０を介して取っ手１０２に枢動可能に連結し、及び発光体がチャネル１４４内に嵌入されているので、組み合わせた検出器／シース／発光体１３６は枢着点１４０の周囲のユニットとして枢動可能である。このように、検出器１０４が取っ手１０２と嵌合するまで、オペレータは枢着点１４０の周囲で組み合わせた検出器／シース／発光体を枢動させることができ、図１に示される配向が得られる。
【００３８】
上述のように、検出器は放射線を検出するために必要な要素（例えば、結晶）を含み、一方で取っ手は電力／コンピュータ／送信要素を含む。検出器要素は、比較的安価な取っ手要素より桁が高い。したがって検出器及び取っ手が互いから容易に分離されるので（第１及び第２の嵌合要素により）、オペレータは、検出器形体態と取っ手を分離して、次いで各使用後に、別の使用のための検出器を保持しつつ、取っ手を廃棄してもよい。上述したとおり、シースは更に、オペレータが使用中に検出器を滅菌するのを回避することも可能にする。したがってシース及び取っ手は、各使用後、廃棄されてもよい。
【００３９】
プローブ１００はシース１０６を有するとして上述されるが、一方で本発明の別の態様でシースは完全に除去されてもよい。シースが除去される場合、検出器１０６は発光体１３６を受容するためのチャネルを有してもよい。この態様において、オペレータは一般に、各使用後、検出器を滅菌するのを必要とするが、取っ手１０２を廃棄することは依然として可能である。
【００４０】
図５は、本発明の他の態様に従う、プローブ２００の側面図を示す。図５に示されるプローブ２００は、上述のように取っ手１０２を有するが、異なる検出器２０４を有する。検出器２０４は検出器１０４と類似し、類似の参照番号は類似部品を識別するために使用する。特に検出器２０４は一般に、自由端部２１２及び取っ手１０２に連結するための対向端部２１０を有する細長い本体２２０を含んでもよい。図５に示されていないが、検出器２０４は、上述と同様に取っ手１０２の第２の嵌合要素１２８と嵌合するための検出器１０４のように、同じ第１の嵌合要素を含んでもよい。更に検出器２０４は、検出器１０４と同様に、放射線を検出するのを可能にする内部要素を含んでもよい。検出器２０４は比較的長く、検出器１０４と比較してより小さい直径の先端部を有し、それによって身体の他の領域の放射線検出で及び異なる臨床用途で好適になる。すなわち、異なるサイズ設定されかつ成形された先端部は、特定用途に応じて望ましい場合がある。図５に示すように、より長い発光体２３６も使用してよい。図示はされていないが、検出器１０４に関する上述の同じシース概念は、検出器２０４に関して実施されてもよい。しかし、検出器２０４に好適なシースは、検出器２０４に適合するためにサイズ設定されかつ成形される（例えば、シースはより長く、先端でより小さな直径を有する）。
【００４１】
図６は、本発明の他の態様に従う、プローブ３００の側面図を示す。図６に示されるプローブ３００は、上述のように同じ取っ手１０２を有するが、異なる検出器３０４を有する。検出器３０４は検出器１０４と類似し、類似の参照番号は類似部品を識別するために使用する。特に検出器３０４は一般に、自由端部３１２及び取っ手１０２に連結するための対向端部３１０を有する細長い本体３２０を含んでもよい。図５に示されていないが、検出器３０４は、検出器１０４に関する上述と同様に取っ手１０２の第２の嵌合要素１２８と嵌合するための検出器１０４のように、同じ第１の嵌合要素を含んでもよい。更に検出器３０４は、検出器１０４と同様に、放射線を検出するのを可能にする内部要素を含んでもよい。検出器３０４は、検出器１０４と比較して角のある先端部を有し、それによって身体の他の領域の放射線検出及び他の用途で好適になる。図６に示すように、この発光体１３６を使用してもよい。図示はされていないが、検出器１０４に関する上述の同じシース概念は、検出器３０４に関して実施されてもよい。しかし検出器３０４に好適なシースは、検出器３０４に適合するためにサイズ設定されかつ成形される（例えば、他の特徴の中で角度のある先端部を有する）。
【００４２】
図７は、取っ手４０２、検出器４０４及びシース４０６を有する別の例示のプローブ４００の分解図を示す。取っ手４０２は上述の取っ手１０２と類似し、類似要素は類似の参照番号をつけた。取っ手４０２は一般に、自由端部４２４、及び検出器４０４と連結するための対向端部４２６を有する本体４２２を備えてもよい。取っ手４０２は一般に、電力を検出器４０４へ供給して、計測コンソールと通信するためにシステムの電気及びコンピュータ要素を備えてもよい。取っ手４０２は、発光ボタン４３８及び電力／無線ペアリングボタン４３７を同様に含んでもよい。取っ手４０２は、取っ手１０２に関して上述のように、すべて同じ内部部品を含んでもよい。詳細は図７に示されていないが、取っ手は、検出器４０４の第１の嵌合要素４０８と嵌合するように構成される第２の嵌合要素４２８を有してもよい。
【００４３】
検出器４０４は検出器１０４と類似し、類似の参照番号は類似部品を識別するために使用する。特に検出器４０４は一般に、自由端部４１２及び取っ手に連結するための対向端部４１０を有する細長い本体４２０を含んでもよい。検出器４０４は、取っ手４０２の第２の嵌合要素４２８と嵌合するための第１の嵌合要素４０８を含んでもよい。図７に示すように、第１の嵌合要素４０８は、取っ手４０２の第２の嵌合要素４２８と嵌合するリブ４１６を含んでもよい。第１の嵌合要素４０８は、取っ手４０２の電気部品と嵌合するための電気接続要素４１８を更に含んでもよい。第２の嵌合要素４２８の詳細は示されていないが、第１の嵌合要素４０８の要素は、取っ手４０２の第２の嵌合要素４２８の対応する一部とそれぞれ嵌合し、それは検出器４０４との構造支持体及び電気接続を提供する。図７にも示されるように、検出器４０４は発光体４３６を含んでもよく、それは取っ手４０２に接続する際に電力を供給される。取っ手４０２の第２の嵌合要素４２８内に直線的に第１の嵌合要素４０８を押圧することによって、検出器４０４は取っ手に連結されてもよい。発光体４３６は図７の実施形態で枢着点を介して取っ手に取り付けられていないので、検出器４０４は枢着点の周囲で枢動しない。検出器４０４は、シースを嵌合するためのフランジ４１４を更に含んでもよい。
【００４４】
図７に示すように、プローブ４００はシース４０６を更に含んでもよい。シース４０６は一般に、検出器４０４の周囲に適合するように成形かつサイズ設定される、細長い中空体４４２を備えてもよい。シース４０６は、本体４４２の長さに沿って延在してもよいスリーブ４４４を有してもよい。スリーブ４４４は、発光体４３６が嵌入されてもよい開口第１端部４４８と、光が出る対向する開口第２端部４５０とを有してもよい。シースは、検出器４０４がシース４０６内に嵌入されると、検出器４０４のフランジ４１４に載置されるためのへり４５２を更に含んでもよい。シース４０６は事前滅菌されてもよく、シース１０６に関する上述のように同じ材料から作成されてもよい。図５及び図６に示される同じ種類の検出器（例えば、小さい先端部及び角のある先端部）は同様に実装されてもよく、唯一の違いは検出器が、取っ手１０２と嵌合する第１の嵌合要素の代わりに、取っ手４０２と嵌合する図７に示す第１の嵌合要素を有するということである。
【００４５】
プローブの操作は、本発明の種々の態様に従ってここに記載する。放射線の検出手順を開始する前に、オペレータは、少なくとも使い捨て取っ手（例えば、取っ手１０２または取っ手４０２のうちの１つ）及び対応する検出器（例えば、検出器１０４、検出器２０４、検出器３０４、検出器４０４または取っ手と嵌合しかつ手順に好適な任意の検出器のうちの１つ）を選択してもよい。オペレータが事前滅菌した使い捨てシースを使用しない場合、その際オペレータは、第１及び第２の嵌合要素を介して検出器と取っ手を嵌合し続けてもよい。図１〜図６に示すプローブについて、第１及び第２の嵌合要素が嵌合されるまで枢着点の周囲で検出器を枢動させることによって、嵌合は実施されてもよい。図７に示すプローブについて、第１及び第２の嵌合要素が嵌合されるまで取っ手の長手方向中心軸に沿って検出器を嵌入することによって、嵌合は実施されてもよい。一旦嵌合されると、装置はいつでも使用できる。オペレータがシースを使用していない例で、検出器は、各使用後に滅菌される必要がある。オペレータが検出器を滅菌することを回避することを望む場合、オペレータは選択した検出器に対応するシース（例えば、シース１０６、シース４０６または選択した検出器の周囲に適合する他の任意のシース）を最初に選択してもよい。オペレータは、検出器を取っ手と嵌合する前またはその後に、選択した検出器をシース内に嵌入してもよい。図１〜図６の実施形態で、発光体は、シースのチャネル内に最初に嵌入されてもよく、それから検出器はシース内に嵌入されてもよい。特に取っ手は様々な検出器と連結するので（各検出器の第１の嵌合要素は同じであり、それぞれは取っ手の第２の嵌合要素と嵌合可能であるので）、オペレータは各使用で特定の取っ手を見つける必要はなく、適切な検出器を選択しなければならないだけである。
【００４６】
一旦係合されると、シースの有無にかかわらず、オペレータは、放射線を検出するために、それから装置を作動してもよい。装置の操作は、前項に記載されかつ米国特許出願第２００９／０３２６３７１号「Ｓｕｒｇｉｃａｌ  Ｐｒｏｂｅ  Ａｐｐａｒａｔｕｓ  ａｎｄ  Ｓｙｓｔｅｍ」の対応する図面に示す、計測コンソール及びシステム操作を使用することを含んでもよく、それは参照により本明細書に明示的に組み込まれる。システムは、一体型計測コンソールデータリンクを有する計測コンソール（好ましくは無線）、ディスプレイ、汎用非同期受信機／送信機（ＵＡＲＴ）、受信機、信号処理プロセッサ、電源及び電源入力を含んでもよい。一体型計測コンソール無線データリンク（以下「コンソールリンク」と称する）は、コンソールのハウジングと一体化してもよく、それに収容されてもよい。コンソールリンクは、プローブと計測コンソールの間にデータを移送するためにプローブデータリンクと関連して作動するように構成されてもよい。これらに限定されないが、無線周波（ＲＦ）、可視光、赤外光、音波及び超音波リンク、ならびにこれらに限定されないが振幅変調、周波数変調、位相偏移変調及び周波数偏位キーイングを含む任意の従来の種類のアナログまたはデジタル変調を利用して、コンソールリンクは、現時点で既知のまたは後で考案される任意の形体で実施されてもよい。Ｂｌｕｅｔｏｏｔｈ  Ｓｐｅｃｉａｌ  Ｉｎｔｅｒｅｓｔ  Ｇｒｏｕｐ，Ｉｎｃ．（ＳＩＧ）によって普及したＢＬＵＥＴＯＯＴＨ（登録商標）規格などの電気通信プロトコルも使用してよい。標準シリアルポートプロトコル（ＳＰＰ）ソフトウエアパッケージも、コンソールリンクに含まれてもよい。あるいは、特許登録の通信プロトコルを利用してもよい。
【００４７】
ＵＡＲＴは、データ通信インターフェース及びコンバータでもよい。ＵＡＲＴは、コンソールリンクで受信したデータをシリアルデータストリームへ変換してもよく、シリアルデータストリームを受信機に転送してもよい。同様に受信機によって生成されたシリアルデータは、ＵＡＲＴを介してコンソールリンクに転送されてもよく、プローブ及びコンソールリンクを介してプローブへの転送のために他のデータフォーマットに変換されてもよい。ＵＡＲＴと連動して使用されるシリアルデータストリームは、Ｅｌｅｃｔｒｏｎｉｃ  Ｉｎｄｕｓｔｒｉｅｓ  Ａｌｌｉａｎｃｅ（ＥＩＡ）シリアルデータフォーマット（例えばＲＳ−２３２、ＲＳ−４２２及びＲＳ−４８５）に構成されてもよく、独自仕様のフォーマットでもよい。受信機は、ＵＡＲＴからのシリアルデータストリームを受信してもよく、データストリームの内容に対応する所定の電圧、電流及び周波数値を有する電気表示信号にシリアルデータストリームを変換してもよい。電気表示信号は、ディスプレイに連結してもよい。
【００４８】
受信機は、計測コンソールの動作を制御するための制御信号を提供するために、所定の制御ロジックに従って作動するように構成されるデジタルマイクロプロセッサベース制御部分を含んでもよい。あるいは受信機は、例えばコンピュータ、マイクロコントローラ、プログラム可能論理装置などを利用する他の種類のデジタルベースアーキテクチャを備えてもよい。受信機の制御ロジックは、所定の指示のセット（例えばコンピュータプログラムまたは「ファジー論理」）によって定義されてもよい。更に他の態様では、受信機は部分的にまたは全面的にアナログ電子回路からなってもよい。受信機は、これらに限定されないが、米国特許第５，７３２，７０４号、同第６、１４４，８７６号、同第６，２５９，０９５号及び同第６，２７２，３７３号に記載のガンマ検出機構のいずれかまたはすべてを組み込んでもよく、そのそれぞれの全内容はその全体が参照により本明細書に組み込まれる。
【００４９】
ガンマシリアルデータを分析し、解釈し及び操作することに関する機能を実行するように、信号処理プロセッサは構成されてもよい。信号処理プロセッサによって実行される機能としては、フィルタリング、スムージング、ノイズ除去及び閾値化を含んでもよいが、これらに限定されない。例えば信号処理プロセッサは、ガンマデータの閾値を設定するシステムのユーザーによって調整されてもよく、その結果、選択された閾値未満の値を有するデータは受信機によって無視されてもよく、電気表示信号の形でディスプレイに提供されなくてもよい。ベースライン値が閾値として保存されかつ使用されてもよい動的ピッチードを、選択してもよい。あるいは基準（例えばバックグラウンド組織）と放射線源（標的組織など）の間の検出した放射能の差が統計学的に有意かを判定するために、ベースライン値を比較のために保存してもよいバイナリピッチモードを選択してもよい。信号処理プロセッサは、アナログもしくはデジタル信号、またはその両方で使用するために構成されてもよい。
【００５０】
ディスプレイは、電気表示信号を受信してもよく、表示信号をデータストリームに対応する視覚的に認識できる表示に変換してもよい。ディスプレイは、ブラウン管、固定フォーマット液晶ディスプレイ、プラズマディスプレイ、高解像度液晶ディスプレイ及び発光ダイオードディスプレイを含む、現時点で既知のまたは後で開発される任意の種類の表示装置でもよいが、これらに限定されない。ディスプレイは、モノクロ、カラーまたはこれらの組み合わせでもよく、バックライトを含んでもよい。
【００５１】
計測コンソールは、所定の方法でガンマデータに対応する音声信号を生成するように構成される音声出力サブシステムを任意に含んでもよい。例えば音声信号の周波数及び／または振幅は、検出器によって生成される低レベルの電気信号に対応するガンマカウントに比例して作成されてもよい。
【００５２】
動作上、プローブの検出器は、それに連結されるバイアス電圧によって電気的にバイアスされてもよい。光子放射線源から発されるガンマ線は検出器に作用してもよく、光子衝突数または放射線計数などの検出ガンマ線（以下一般に「ガンマデータ」と称する）の所定の特徴に対応する低レベルの電気信号を検出器に発生させる。前置増幅器は、検出器によって生成された低レベルの電気信号を受信して、より大きな振幅の対応する出力電気信号に増幅してもよく、出力電気信号は同様にガンマデータに対応しかつそれを表す。コントローラは、出力電気信号を介して前置増幅器からのガンマデータを受信してもよい。コントローラはガンマデータを所定のアナログ及び／またはデジタルフォーマットを有する「メッセージ」に変換して、メッセージは前記フォーマットのガンマデータに関する情報を含む。メッセージはプローブリンクによって送信されるプローブ出力信号の要素としてコンソールリンクに定期的に送信されてもよい。本発明の一態様において、メッセージは、約５０ミリ秒ごとに送信されてもよい。メッセージは、例えばスタート伝送文字、メッセージ種類文字、ガンマデータ（２バイト）、及びチェックサムバイト（他のすべてのメッセージバイトを合計する）を含んでもよい。プローブ出力信号は、データ伝送の品質を確実にする誤り訂正及び自動再送機能も含んでよい。ＢＬＵＥＴＯＯＴＨ（登録商標）技術が使用される場合、リンクは、他の無線装置との干渉を回避するための周波数ホッピング技術を含んでもよい。
【００５３】
自動修正方式は、プローブ出力信号にとって好ましい。プローブ出力信号がこのような自動修正を欠いている場合、より強力なメッセージチェック（例えば１６ビット巡回冗長検査またはＣＲＣ）を使用してもよい。更にプローブ出力信号が自動再送を欠いている場合、双方向性送受信機ハンドシェイク方式を利用してもよく、そこでコンソールリンクによって無線で発されたコンソール出力信号は、確認メッセージをプローブリンクに転送し、確認メッセージは、メッセージとのエラーチェック比較のためにプローブリンクによってコントローラに送られる。コンソールリンクはＵＡＲＴにメッセージを送ってもよく、それはメッセージをシリアルフォーマットに変換してもよく、受信機にメッセージを送ってもよい。受信機は、チェックサムバイトを使用してメッセージを確認してもよい。メッセージが確認されると、受信したガンマデータは最後の計数値と比較されてもよく、差を算出してもよい。任意の１６ビットカウンタオーバフローも考慮されてよい。ガンマデータがガンマ絶対カウントの形態である場合、差分計算が望ましい場合がある。
【００５４】
ガンマカウント値は、受信機によって高度に正確な内部５ミリ秒間隔に同期されてもよく、各間隔は「ビン」と称される。この同期は、電気表示信号の形態でディスプレイに提供される安定的かつ正確なガンマデータカウントを達成するという目的があり、電気表示信号は、ガンマデータを表す、対応する視覚的に認識できる画像にディスプレイによって変換される。入りガンマデータ値は、平滑化したガンマデータカンストを得るために、次の１０「ビン」上で受信機によって平均されてもよい。それが任意のガンマカウントを得られた値に加えないまたはそれから除去しないように、円滑化操作は好ましくは構成されてもよい。
【００５５】
情報の損失がある場合（例えば、無線装置の範囲外、オフにされた送信機または無線干渉の不調によるメッセージの喪失）、ディスプレイに表示されるガンマデータ値はゼロに設定されてもよい。メッセージが所定の最小期間（例えば５秒間）検出されない場合、受信機は、プローブ出力信号が失われたと判定してもよく、所定の電気表示信号をディスプレイに提供してもよい。その結果、ディスプレイは、例えば「信号なし」告知などの所定の方法でシステムのユーザーにこの状態を視覚的に示す。
【００５６】
いくつかの態様において、受信機は信号処理プロセッサに連結してもよい。ガンマシリアルデータを分析し、解釈し及び操作することに関して上述した機能のいくつかまたはすべてを実行するように、信号処理プロセッサは構成されてもよい。いくつかの態様において、音声出力サブシステムを、ディスプレイと共にまたはその代わりに使用してもよい。音声出力サブシステムは、所定の方法でガンマデータに対応する音声信号を生成するように構成されてもよい。例えば音声信号の周波数または振幅は、ガンマカウントと比例してもよい。
【００５７】
図８は、上述したシステムと共に使用してもよいグラフィカル・ユーザー・インターフェース５０１を有する、例示の計測コンソール５００を示す。タッチスクリーン装置、または入出力装置（例えばマウス及びキーボード）を介してオペレータ相互作用を可能にする他の任意の表示コンソール／モニタで、グラフィカル・ユーザー・インターフェースを実行してもよい。グラフィカル・ユーザー・インターフェース５０１は、ユーザーに、どの種類の検出器が現在システムと接続しているかについて示すプローブインジケータ５０２を含んでもよい。例えば図８に示すように、プローブインジケータ５０２は、各種類の検出器の視覚表示を含んでもよく、現在システムと接続する特定のプローブを強調してもよい。図８に示す例において、１１ｍｍの検出器／プローブが点灯されて、それが現在使用中であることを示す。プローブからシステムに送信されている情報の一部が、検出器が使用されている表示を含んでもよいように、システムを構成してもよく、その結果、グラフィカル・ユーザー・インターフェースは、どのプローブが使用されているかについてユーザーに自動的に示すことができる。別の態様においては、システムによって、例えばタッチスクリーン上の対応する画像を押圧することによって、どのプローブを使用するか、ユーザーが選択するのを可能にする。プローブインジケータ５０２は、検出器１０４上のカラーインジケータに適合するために、色分けされてもよい。検出器は、リングに所定の色（例えば、黄色、青色、赤色、緑色などのうちの１つ）を有させてもよく、ディスプレイ上のその同じ検出器の視覚表示が同じ色を有するように、システムを構成してもよい。システムは、各種類の課題のために必要なすべての情報を有するようにプログラムされてもよい。例えば、検出器タイプ１が黄色リングを有する場合、オペレータは単にディスプレイの黄色の検出器画像または黄色ボタンを選択することができ、システムはその特定の検出器について必要な適切な設定を自動的に選択する。
【００５８】
このように、オペレータが毎回設定を調整しなければならない代わりに、特定のプローブ（例えば、黄色の標識を有するプローブ）に対応する構成を、所与の適用のために保存することができる。更にシステムは、複数のプローブが所与の時間でシステムと接続するのを可能にしてもよく、オペレータがシステムと接続するプローブのうちの１つとるとき、ユーザーによって現在保持されているプローブに対応する画像を、グラフィカル・ユーザー・インターフェース５０１に強調してもよいように、システムを構成してもよい。
【００５９】
グラフィカル・ユーザー・インターフェース５０１は、選択可能な動的ピッチ範囲インジケータ５０４を更に含んでもよく、それは手動で、自動的にまたは別の方法で選択可能でもよい。スケールは、装置が作動している範囲に基づいて、当該技術分野の通常の手順に従って設定される。例えば作動領域が毎秒２０，０００カウントで、目盛が１００に設定される場合、示度がスケールより何倍も多いので、測定表示は機能しない。むしろ、示度がスケールの中央により近くなるように、スケールはより高く設定されなければならない。図８に示すように、選択可能な範囲は、目盛のついた棒で表示されてもよく、各目盛は、目盛と関連するガンマカウント値で標識される。図８に示す例で、選択可能なガンマカウント範囲５０４は、１００、１０００、１００００及び５００００を示す４つの目盛を含む。例で、１０００ガンマカウントは、１０００目盛の隣に位置している「カウント」ボックスによって示されるように選択された。
【００６０】
グラフィカル・ユーザー・インターフェース５０１は、プローブにより検出されるガンマデータのグラフ及び／または数値表示を更に含んでもよい。例えばグラフィカル・ユーザー・インターフェース５０１は、毎秒当たりの標的カウントの数値表示５０８上方の毎秒当たりの現在の測定カウントの数値表示５０６、及び毎秒当たりの現在の測定カウントのグラフ表示５１０を含んでもよい。グラフ表示５１０は、示度がその範囲の最高点にどれくらい近いかをオペレータに示す。グラフ表示５１０は、色分けされたグラフの形態でもよく、グラフの全体の長さは標的カウントに対応し（例えば、数値標的カウント５０８に対応する）、及び点灯または色分けされたグラフ部分は測定カウントに対応する（例えば、数値測定カウント５０６に対応する）。このようにグラフ表示５１０は、カウントが標的にどれくらい近いかを速やかに認知できる視覚表示を提供し、一方で数値表示５０６、５０８は、標的カウントの特定値と比較して測定カウントの特定値の表示を提供する。別の態様で、取っ手１０２は、コンソール５００上の同じグラフ及び／または数値表示を含む、内蔵ディスプレイを含んでもよい。取っ手のディスプレイは、コンソール５００上のディスプレイの代用、またはそれへの追加でもよい。
【００６１】
グラフィカル・ユーザー・インターフェース５０１は、ユーザーが選択可能な音量範囲５１２を更に含んでもよい。「＋」もしくは「−」の印を押圧することによって、または音量インジケータバーをドラッグすることによって、ユーザーは音量を選択してよい。システムは、示度がどれくらい高いかを示すためにビープ音または他のノイズ頻度などの音を発してもよい。例えば、遅い頻度のビープ音または他のノイズは低い示度を示してもよく、速い頻度のビープ音または他のノイズはガイガーカウンタと同様に高い示度を示してもよい。システムは、他の音声キュー（例えばスキャンの開始及び完了）を更に含んでもよい。すべての場合について、音声は、ビープ音もしくは他のノイズ、または音声言語の形態でもよい。音声キューに加えてまたはその代用として、光リング１３５を、示度をオペレータに通知するために使用してもよい。例えば、より高い示度によって増大するビープ音頻度の代わりにまたはそれに加えて、光リング１３５は、高い示度による高い頻度でパルスオン／オフしてもよく、低い示度による低い頻度でパルスオン／オフしてもよい。別の態様で、光リングは、パルスオン／オフする代わりに、より明るくまたはより暗くなってもよい。更に別の態様では、光リングは、示度に対応するため色を変えるように構成されてもよい。したがって光リング１３５は、オペレータがディスプレイに注目するのを必要とせずに、カウント示度に関する類似の情報を提供してもよい。更に音声及び／または視覚フィードバックに加えて、触覚フィードバックも、他のフィードバックと組み合わせてまたはその代用として実行してもよい。例えば取っ手は、携帯電話及び触覚フィードバックを行う他の製品で見いだせるものと類似の振動モーターを含んでもよい。モーターは、モーターを揺れさせるモーターの回転軸に取り付けられた中心からはずれたウエイトを含んでもよい。取り付けられたウエイトの量、軸からのウエイトの距離及びモーターが回転する速度に、揺れの量は依存する。任意の好適な周知の触覚フィードバックモーターシステムも実行してもよい。モーターは、カウント測定値の増加と共に振動の強度を増加させるように構成されてもよい。したがってモーターも、ディスプレイ、音声または光リングと類似の情報をユーザーに提供してもよい。
【００６２】
オペレータが検出手順を完了すると、それからオペレータは続けて要素を分離して、使い捨て要素を廃棄してもよい。検出器は、上述の嵌合工程を逆にすることによって、取っ手から取り外されてもよい。図１〜図６のプローブにおいて、それは検出器の第１の嵌合要素を取っ手の第２の嵌合要素から分離させ得る、取っ手から離れる方向に検出器の枢動する動きを、ユーザーは適用してもよい。一旦分離されると、ユーザーはそれから、シースが存在する場合、シースから発光体を引き抜いてもよく、シースが存在しない場合、検出器のチャネルから発光体を引き抜いてもよい。完全に分離されると、それが使い捨ての及び／または比較的安価な部品を含む場合、ユーザーは取っ手を廃棄してもよい（例えば、廃棄物収容器に取っ手を入れる）。シースが存在する場合、オペレータは検出器を取り囲むことからシースを取り外して、シースを廃棄してもよい（例えば、廃棄物収容器にシースを入れる）。この時点で、検出器はその後の使用のために保有されてもよく、検出器周辺に新しい滅菌したシースを配置すること、及び検出器を新規の滅菌取っ手に連結することによって、容易に再利用してよい。シースを使用しない場合、オペレータは、新しい取っ手で使用する前に、検出器を滅菌してもよい。
【００６３】
図９は、本発明の態様に従って使用するための、種々のハードウエア要素及び他の機構の例示の系統図を示す。本発明は、ハードウエア、ソフトウエアまたはそれらの組み合わせを使用して実施されてもよく、１つ以上のコンピュータシステムまたは他の処理システムで実施されてもよい。一態様では、本明細書に記載の機能を実施できる１つ以上のコンピュータシステムを、本発明は目的とする。このようなコンピュータシステム９００の例を、図９に示す。
【００６４】
コンピュータシステム９００は、プロセッサ９０４などの１つ以上のプロセッサを含む。プロセッサ９０４は、通信インフラストラクチャ９０６（例えば、通信バス、渡りバーまたはネットワーク）に接続している。種々のソフトウエアの態様が、この例示のコンピュータシステムに関して記載されている。この記載を読めば、他のコンピュータシステム及び／または構造を使用していかに本発明を実施するべきかは、関連技術（複数可）の当業者には明らかになるだろう。
【００６５】
コンピュータシステム９００は、ディスプレイ装置９３０での表示のための通信インフラストラクチャ９０６から（または示されていないフレームバッファから）のグラフィック、テキスト及び他のデータを送るディスプレイ・インターフェース９０２を含むことができる。コンピュータシステム９００は、主記憶装置９０８、好ましくはランダムアクセス記憶装置（ＲＡＭ）も含み、二次記憶装置９１０を含んでもよい。二次記憶装置９１０は、例えばハード・ディスク・ドライブ９１２及び／またはフロッピーディスクドライブ、磁気テープドライブ、光ディスクドライブなどを表す取り外し可能な記憶ドライブ９１４を含んでもよい。取り外し可能な記憶ドライブ９１４は、周知の方法で取り外し可能な記憶装置９１８から読み取る及び／またはそれに書き込む。取り外し可能な記憶装置９１８はフロッピーディスク、磁気テープ、光ディスクなどを表し、それは着脱可能な記憶ドライブ９１４によって読み取られて、それに書き込まれる。明らかなように、取り外し可能な記憶装置９１８は、コンピュータソフトウエア及び／またはデータをその内部に保存したコンピュータが使用可能な記憶媒体を含む。
【００６６】
代替の態様で、二次記憶装置９１０は、コンピュータプログラムまたは他の命令がコンピュータシステム９００内にロードされるのを可能にする、他の類似装置を含んでもよい。このような装置は、例えば取り外し可能な記憶装置９２２及びインターフェース９２０を含んでよい。このようなものの例としては、プログラムカートリッジ及びカートリッジインターフェース（例えばテレビゲーム装置で見いだせるもの）、取り外し可能なメモリチップ（例えば消去可能かつ書き込み可能なリードオンリーメモリ（ＥＰＲＯＭ）または書き込み可能なリードオンリーメモリ（ＰＲＯＭ））及び関連するソケット、ならびにソフトウエア及びデータが取り外し可能な記憶装置９２２からコンピュータシステム９００へ転送されるのを可能にする他の取り外し可能な記憶装置９２２及びインターフェース９２０を含んでもよい。
【００６７】
コンピュータシステム９００は、通信インターフェース９２４も含んでよい。通信インターフェース９２４は、ソフトウエア及びデータが、コンピュータシステム９００と外部デバイスとの間で転送されることを可能にする。通信インターフェース９２４の例としては、モデム、ネットワークインターフェース（例えばイーサネットカード）、通信ポート、ＰＣメモリーカード国際協会（ＰＣＭＣＩＡ）スロット及びカードなどを含んでもよい。通信インターフェース９２４を介して転送されるソフトウエア及びデータは信号９２８の形態であり、それは通信インターフェース９２４によって受信され得る電子、電磁気、光学または他の信号でもよい。これらの信号９２８は、通信パス（例えば、回線）９２６を介して通信インターフェース９２４に提供される。このパス９２６は信号９２８を運び、ワイヤまたはケーブル、光ファイバー、電話線、セルラーリンク、無線周波（ＲＦ）リンク及び／または他の通信回線を使用して実行されてもよい。本明細書で「コンピュータプログラム媒体」及び「コンピュータが使用可能な媒体」という用語は一般に、メディア（例えば取り外し可能な記憶ドライブ９８０、ハード・ディスク・ドライブ９７０にインストールしたハード・ディスク及び信号９２８）を指すために使用する。これらのコンピュータプログラム製品は、ソフトウエアをコンピュータシステム９００に提供する。本発明はこのようなコンピュータプログラム製品に関する。
【００６８】
コンピュータプログラム（計算機制御ロジックとも称される）は、主記憶装置９０８及び／または二次記憶装置９１０に保存される。コンピュータプログラムは、通信インターフェース９２４を介して受信されてもよい。このようなコンピュータプログラムは、実行されるとき、本明細書で示すとおり、コンピュータシステム９００が本発明の特徴を実行するのを可能にする。特にコンピュータプログラムは、実行されるとき、プロセッサ９１０が本発明の特徴を実行するのを可能にする。したがってこのようなコンピュータプログラムは、コンピュータシステム９００のコントローラを表す。
【００６９】
本発明がソフトウエアを使用して実行する態様において、ソフトウエアはコンピュータプログラム製品に保存されてもよく、取り外し可能な記憶ドライブ９１４、ハード・ディスク９１２または通信インターフェース９２０を使用してコンピュータシステム９００にロードされてもよい。制御ロジック（ソフトウエア）は、プロセッサ９０４によって実行されるとき、本明細書に記載のように、プロセッサ９０４に本発明の機能を実行させる。別の態様で本発明は、例えばハードウエアコンポーネント（例えば特定用途向け集積回路（ＡＳＩＣ））を使用してハードウエアで主に実行される。本願明細書に記載の機能を実行するためのハードウエア状態機械の実施は、関連技術分野（複数可）の当業者には明らかだろう。
【００７０】
更に別の態様で、本発明は、ハードウエア及びソフトウエアの両方の組み合わせを使用して実行される。
【００７１】
図１０は、本発明の態様に従う、種々の例示のシステム要素のブロック図である。図６は、本発明に従って使用可能な通信システム１０００を示す。通信システム１０００は、１つ以上のアクセサ１０６０、１０６２（１人以上の「ユーザー」として本明細書で同じ意味で称される）及び１つ以上の端末１０４２、１０６６を含む。一態様で本発明に従って使用されるデータは、端末１０４２、１０６６（例えばパーソナルコンピュータ（ＰＣ）、ミニコンピュータ、メインフレームコンピュータ、マイクロコンピュータ、電話装置または無線装置（例えばサーバー１０４３（例えばＰＣ、ミニコンピュータ、メインフレームコンピュータ、マイクロコンピュータ、例えばプロセッサ及びデータ用リポジトリを有する及び／または例えばネットワーク１０４４（例えばインターネットまたはイントラネット）及び連結部１０４５、１０４６、１０６４を介してデータ用リポジトリに接続する他の装置）に接続した携帯情報端末（「ＰＤＡ」）または携帯型無線装置））を介して、例えばアクセサ１０６０、１０６２によって入力及び／またはアクセスされる。連結部１０４５、１０４６及び１０６４は、例えば有線、無線、光ファイバリンクを含む。別の態様で本発明の方法及びシステムは、単一端末などの独立型環境で作動する。
【００７２】
例示のプローブは前述したとおりであるが、他の医療器具／機構を実行されてもよいことを理解すべきである。例えばプローブは、焼灼用先端部を含んでもよい。プローブがリンパ節の位置を特定するために用いると共に、焼灼用先端部によってオペレータが焼灼を行うことができる。すなわちオペレータがプローブを使用して放射性リンパ節を発見すると、オペレータは焼灼用先端部を使用してリンパ節を切除できる。他の例示の態様において、プローブはリンパ節をマーキングするマーキング装置を含むことができる。例えば、プローブを使用して発見されると、オペレータが放射性リンパ節をマーキングできるインク放出装置を、先端部は含むことができる。
【００７３】
本発明は、上で概説される例示の態様、種々の代替例、変更態様、変形物、改良及び／または実質的等価物と共に記載されているが、周知であるまたは現在予知しないもしくは予知し得ないかは、当該技術分野において少なくとも通常の技術を有するものには明らかであり得る。したがって本発明の例示の態様は、上述のように例示を目的として、制限的でない。本発明の趣旨及び範囲を逸脱することなく、様々な変更が行われてもよい。したがって本発明は、すべての周知のまたは後で開発される代替例、変更態様、変形物、改良及び／または実質的等価物を含むことを目的とする。
【００７４】
〔実施の態様〕
（１）  第１の嵌合要素を有し、及び検出器に近接する放射線源と関連して低レベルの電気信号を生成するように構成される前記検出器；
取っ手が着脱可能に検出器に連結可能なように、前記第１の嵌合要素と着脱可能に嵌合するように構成される第２の嵌合要素を含む前記取っ手；を含有する、携帯型プローブ。
（２）  前記携帯型プローブが電源を更に含み、
前記電源が、前記第２の嵌合要素を前記第１の嵌合要素と嵌合するとき、前記検出器に電力を供給する、実施態様１に記載の携帯型プローブ。
（３）  内部に前記検出器を受容するように構成される、シースを更に備える、実施態様１に記載の携帯型プローブ。
（４）  前記取っ手に電気的に接続する発光体を更に含む、前記シースが前記発光体を受容するための通路を備える、実施態様３に記載の携帯型プローブ。
（５）  前記検出器が積層した結晶配列を含み、前記積層した結晶配列が、
複数の結晶片；
導電性で、離間され、及び概ねそれらの間に直交して延在する導電性スペーサーで接合した一般に並列の要素を有する、複数の相互連結部であって、前記スペーサーが所定の角度によって互いに回転方向にオフセットされている、前記相互連結部；
複数の電気絶縁体；
複数のスロットを有する電気絶縁性ハウジング；を含み、前記結晶片、前記絶縁体及び前記相互連結部がアセンブリを形成するように配置されており、前記結晶片が並列の電気回路で連結されており、前記アセンブリが前記ハウジングの対応する前記スロットに位置する前記スペーサーのそれぞれを備える前記ハウジング内に嵌入されている、実施態様１に記載の携帯型プローブ。
【００７５】
（６）  システムであって、
第１の嵌合要素を有し、及び検出器に近接する放射線源と関連して低レベルの電気信号を発生させるように構成される前記検出器；ならびに
取っ手が着脱可能に前記検出器に連結可能なように、前記第１の嵌合要素と着脱可能に嵌合するように構成される第２の嵌合要素と、
低レベルの電気信号に関するガンマデータを含有するメッセージを送信するように構成されるプローブリンクと、を含む、前記取っ手；を含有する、携帯型プローブと、ならびに
ハウジング；
前記ハウジング内であって、前記プローブリンクにより送信される前記メッセージを受信するように構成されるコンソールリンク；
前記メッセージを対応する電気表示信号に変換するために、前記コンソールリンクに電気的に連結する受信機；及び検出した前記放射線の量に関し、前記電気表示信号を視覚的に認識できる表示に変換するために、前記受信機に電気的に連結する視覚的に認識できるディスプレイ；を含有する、計測コンソールと、を含む前記システム。
（７）  前記検出器が積層した結晶配列を含み、前記結晶配列が、
複数の結晶片；
導電性で、離間され、及び概ねそれらの間に直交して延在する導電性スペーサーで接合した一般に並列の要素を有する、複数の相互連結部であって、前記スペーサーが所定の角度によって互いに回転方向にオフセットされている、前記相互連結部；
複数の電気絶縁体；
複数のスロットを有する電気絶縁性ハウジング；を含み、前記結晶片、前記絶縁体及び前記相互連結部がアセンブリを形成するように配置されており、前記結晶片が並列の電気回路で連結されており、前記アセンブリが前記ハウジングの対応する前記スロットに位置する前記スペーサーのそれぞれを備える前記ハウジング内に嵌入されている、実施態様６に記載のシステム。
（８）  前記複数の結晶片がカドミウム亜鉛テルルから作成されている、実施態様７に記載のシステム。
（９）  前記検出器が発光装置である、実施態様６に記載のシステム。
（１０）  第１の嵌合要素を有し、及び検出器に近接する放射線源と関連して低レベルの電気信号を発生させるように構成される前記検出器を提供すること；
取っ手が着脱可能に前記検出器に連結可能なように、前記第１の嵌合要素と着脱可能に嵌合するように構成される第２の嵌合要素を含む前記取っ手を提供すること；ならびに
前記第１の嵌合要素を前記第２の嵌合要素と嵌合することによって前記検出器と前記取っ手を連結すること；を含む、免疫ＲＩガイド手術を実施する方法。
【図１】
2019501371.tif 000006
【図２】
2019501371.tif 000007
【図３】
2019501371.tif 000008
【図４】
2019501371.tif 000009
【図５】
2019501371.tif 000010
【図６】
2019501371.tif 000011
【図７】
2019501371.tif 000012
【図８】
2019501371.tif 000013
【図９】
2019501371.tif 000014
【図１０】
2019501371.tif 000015
【国際調査報告】
2019501371.tif 000016
2019501371.tif 000017
2019501371.tif 000018